(57)【要約】【課題】複数のプラグを差し込み可能な細長いコンセントを横置きではなく、縦型に設置可能とする。【解決手段】プラグの栓刃を複数並列して差し込めるように差込口１０ｆ，１０ｇ，１０ｈを複数並べて配置してあるコンセントユニット１０からなるタップＡと、このタップＡを縦位置に自立して固定配置する載置台Ｂとからなり、前記載置台Ｂに前記タップＡを嵌合配設し、前記タップＡと載置台Ｂとによりタワー状に形成するタワー形ＯＡタップの構成である。【選択図】　　　図１
2004119257.tif 000002
【特許請求の範囲】
【請求項１】
プラグの栓刃を複数並列して差し込めるように差込口を複数並べて配置してあるコンセント本体部からなるタップと、
このタップを縦位置に自立して固定配置する載置台と、
からなり、前記載置台に前記タップを嵌合配設し、前記タップと載置台とによりタワー状に形成することを特徴とするタワー形ＯＡタップ。
【請求項２】
前記載置台に複数個の前記タップを縦位置に配置し、電源入力電線が接続されているタップと他のタップとを導電性の連結部材で接続してタワー状に形成した複数のタップが同一通電回路をなしていることを特徴とする請求項１に記載のタワー形ＯＡタップ。
【請求項３】
前記載置台に複数個の前記タップを縦位置に配置し、この複数個のタップの頭頂部をまとめて固定する固定部材を備え、この固定部材が連接した各前記タップの導電性連結部材を被覆する部材であることを特徴とする請求項１または請求項２に記載のタワー形ＯＡタップ。
【請求項４】
前記載置台は、外周側面に縦置きを安定して支持する脚部またはこの脚部と組み合わせる補助脚の少なくとも一つが着脱自在に載置台に取付けられるようになっていることを特徴とする請求項１乃至請求項３に記載のタワー形ＯＡタップ。
【請求項５】
前記タップの２個が背中合わせに固定され、前記載置台に前記タップの電源入力電線の導入側を嵌合して、全体をタワー状に形成してなることを特徴とする請求項１乃至請求項４に記載のタワー形ＯＡタップ。
【発明の詳細な説明】
【０００１】
【発明の属する技術分野】
本発明は、正負の栓刃（およびアース刃）を備えたプラグを差込可能で、自立可能なタワー形ＯＡタップに関する。特に、複数のプラグを差し込み可能に多数の差込口を配列してあるコンセントを縦位置に配置してあるタワー形ＯＡタップに関する。
【０００２】
【従来の技術】
昨今は各家庭においては冷蔵庫や洗濯機等の従来の電気製品やテレビやＶＴＲなどのＡＶ機器、コンピュータ、プリンタ等のＯＡ機器が使用されてきて、多くの種類の電子機器装置が使用されるに至っている。しかしながら、これら電子機器の電源の接続口であるコンセントは、せいぜい室内の壁面に埋設されている１個の場合が多いために、多くの家庭では１個のコンセントに多数のプラグ差込口を備えた部品が取り付けられ、各電子機器製品が接続されている。コンセントに多数のプラグが差し込まれるため、一般的にタコ足配線の状態になっている。
【０００３】
壁面内に埋設されたコンセントの数が少ないため、１個のコンセントに多くのプラグを差し込むことは熱の発生や電線の短絡などの問題があって危険性があった。そこでこの問題を解決する方法として、複数のプラグ差込口を備えた１個のコンセントを横置にしたテーブルタップが利用されている。この床置タイプでは床面積をとることになっていた。このような床面積をとらないものとして立体的なものもが提案されている。
例えば、実用新案登録第３０７０６４０号公報に記載されるものがある。これはボックスタイプで、個々の差込口が邪魔にならないように階段状に棚部を形成して、この棚部に差込口が設けられたものである。このようなボックス（ビル型）では床面積の省力化になっていない。この考案には配線機構について全然開示されていない。
【０００４】
【発明が解決しようとする課題】
本発明は、従来の前記問題点を解消するもので、床に並べ置くものにおいては床上に平坦に置くため塵埃などが差込口に入りやすい欠点があり、また、床設置面積が増える等の問題があった。また、コンセント毎に内部機構が異なることもあり、組立部品点数が多くなり、製品のコスト高となっていた。コンセント内部の配線は各電線が重なり合い、好ましいものではなかった。
【０００５】
本発明は簡易な構造で、コンセント内部を簡単な構造にしたユニットとし、このユニットの組み合わせで漏電の恐れないコンセントを備えたタワー形ＯＡタップを提供するものである。
本発明の課題は、複数のプラグを差し込み可能な細長いコンセント（ＯＡタップ）を横置きではなく、縦型にしてスペースファクターを改善し、しかも組み立てが簡単なタワー形ＯＡタップを提供することである。
また、本発明の課題は、コンセント内部を規格化された端子、導電部材及び連結板などの部品によって構成し、汎用性のある部品を組み合わせて簡易に製造することができる廉価なタワー形ＯＡタップを提供することである。
更に、本発明の課題は、平刃形、引掛形、抜け止形及び平刃形と引掛形との結合形などの各種のコンセントにおいて規格化された同一パーツを組み合せることによりパーツ在庫の単純化と組立工程の簡素化に対応したタワー形ＯＡタップを提供することである。
【０００６】
【課題を解決するための手段】
本発明の前記課題は、プラグの栓刃を複数並列して差し込めるように差込口を複数並べて配置してあるコンセント本体部からなるタップと、このタップを縦位置に自立して固定配置する載置台とからなり、前記載置台に前記タップを嵌合配設し、前記タップと載置台とによりタワー状に形成するタワー形ＯＡタップの構成によって達成できる。
【０００７】
また本発明の課題は、前記載置台に複数個の前記タップを縦位置に配置し、電源入力電線が接続されているタップと他のタップとを導電性の連結部材（送り配線の電源出力電線）で接続してタワー状に形成した複数のタップが同一通電回路をなしている構成、および前記載置台に複数個の前記タップを縦位置に配置し、この複数個のタップの頭頂部をまとめて固定する固定部材を備え、この固定部材が連接した各前記タップの導電性連結部材を被覆する部材であるタワー形ＯＡタップの構成によって達成できる。
【０００８】
また、本発明に前記課題は、前記載置台は、外周側面に縦置きを安定して支持する脚部またはこの脚部と組み合わせる補助脚の少なくとも一つが着脱自在に載置台に取り付けられるようになっている構成、及び前記タップの２個が背中合わせに固定され、前記載置台に前記タップの電源入力電線の導入側を嵌合して、全体をタワー状に形成してなる構成のタワー形ＯＡタップによって達成できる。
【０００９】
本発明のタワー形ＯＡタップは、複数のプラグを差し込み可能に差込口を配列してある細長いタップを載置台によって縦位置に配置して設置可能であるから、プラグや差込口などに塵埃などが積もって侵入することを防ぐことができる。また、使用するタップの口数により、差し込み口数の増減が簡易にできる。更に、従来のコンセント（ＯＡタップ）を横に据え付けるものに比べて外観が相違し、タワー状にＯＡタップを配置できるので美観を呈することができる。しかも、用途に応じて容易に分解して通常の床置きのテーブルタップとしても使用できる。
【００１０】
また、本発明のタワー形ＯＡタップは、複数個のプラグを差し込めるコンセント本体部からなるタップを縦長状態で２つ背中合わせにし、タップの両面に差込口を配置することができるから多くのプラグを差し込み接続することができ、バランスを考えてプラグを差し込むことができる。更に、固定部材により複数のタップを組み合わせて安定した縦置きに配置することができる。その上載置台に取り付ける脚部や補助脚を着脱自在にし、組み立て形成するようにしてあるから、全体をタワー形に組み立てが容易にできる。
【００１１】
更に、本発明のタワー形ＯＡタップは、電源入力電線（導電板、送り配線の電源出力電線）を接続する各固着部の位置はコンセント本体部の中央に位置するからこのタップを縦長に数個配列するときには各コンセント本体部の固着部の位置は一定距離で配置されるので同極性の固着部を導電性連結部材で複数連結するときに同一導電板が使用することができる。従って、各パーツが同じであるから部品点数を減らし、単純化されてＯＡタップの製造組立が簡易である。
【００１２】
【発明の実施の形態】
本発明のタワー形ＯＡタップについて図面に示す実施の形態に基づき詳述する。図１は本発明タワー形ＯＡタップの１実施形態を示す正面図、図２は本発明タワー形ＯＡタップの１実施形態の内部構造を説明する側面の断面図、図３は図１のタワー形ＯＡタップの本体ユニットを示す側面図、図４は図３の本体ユニットの内部構造を示す断面図、図５は図３の本体ユニットの内部の配線を示す底面図、図６は本発明に係わるタワー形ＯＡタップの載置台の１実施形態を示す側面図、図７は図６の底面図、図８は図６の載置台の脚部の構造を示す説明図、図９は図６の載置台の補助脚の構造を示す説明図、図１０は図６の載置台の組立説明図である。図１１は本発明に係わるタワー形ＯＡタップに使用するキャップの１実施形態の構造を示す説明図である。図１２は本発明に係わるタワー形ＯＡタップに使用するコンセントユニットの平面図、図１３は図１２の底面図である。
【００１３】
本発明のタワー形ＯＡタップを図面に示す１実施形態に基づいて説明する。
本発明のタワー形ＯＡタップは以下のように構成してある。
図１２，１３に示されるように、プラグ（図示せず）の栓刃を差し込む差込口１０ｆ，１０ｇとアース挿入口１０ｈを表面に配置したコンセントユニット１０を２個内蔵するプラカバー２からなる４口用の本体ユニット１を２個を背中合わせに貼り合せ、タップＡを形成し、電源入力電線１２が接続（電源入力電線１２を入力固着部１６にねじ止め）してある本体ユニット１の接続部側の固着部１４，１５及びアース固着部１７に固着してある導電性の連結板１１を他方の本体ユニット１の固着部１４，１５及びアース固着部１７にそれぞれ固着する。これらの固着部の位置は、コンセントユニット１０の両端の位置から均等な位置に配置してある。
【００１４】
この２個の本体ユニット１のプラカバー２の底板３を合わせて２個の本体ユニット１を組み合わせてタップＡとして配置し、これを背面合わせた状態で、上側（天頂）の取付部１８の接続部全体（送り配線の電源出力電線）を固定部材であるキャップＣを嵌合して固定する。この場合、本体ユニット１の取付部１８の取付孔１８ａをボルト（ねじ）などで仮止めしてもよい。本体ユニット１からなるタップＡの下部（電源入力電線との接続部分）は載置台Ｂ（図１点線部）の脚部６で形成される方形の嵌合部内に挿入する。このタップＡの取付部１８も取付孔１８ａにボルトなどを挿入して仮止めしてもよい。この載置台Ｂの実施形態は図６〜図９に示されるように構成してあり、この詳細は後述する。
【００１５】
このように構成してある実施形態のタップＡを形成する本体ユニット１は次のような部品によって組み立てられている。
［コンセント］
正、負の栓刃を有するプラグ（図示せず）を差し込む差込口１０ｆ，１０ｇおよびアース挿入口１０ｈが配置してあるカバー表面１０ａとプラグの栓刃に接触する刃受バネ及びアース刃受バネ（図示せず）などを隔離配置してリベット止めしてあるコンセントユニット１０とを２個並べて複式コンセント本体部である本体ユニット１を形成してある。
【００１６】
本発明タワー形ＯＡタップの載置台ＢはタップＡを縦設置できる台の構成であればよい。図６〜９に示される実施形態について説明する。
載置台Ｂは脚部６，６と補助脚７とで形成され、脚部６の内方に突出している突起６ｃを備え、側面にスライド溝６ｄを有する基部６ａ，６ａと、このスライド溝６ｄに嵌合する係合部７ａ備えた補助脚７，７とからなっている。基部６ａ，６ａの内面を合わせて相互の突起６ｃ，６ｃを対向する基部６ａの嵌合孔に挿入し、この基部６ａの側面に設けたスライド溝６ｄ，６ｄに補助脚７，７の係合部７ａ，７ａを係合しながら摺動して基部６ａ，６ａを合わせて固定して、方形の嵌合部を形成する。この嵌合部に本体ユニット１の取付部１８を挿入嵌合する（図１０参照）。
【００１７】
次に、図２に示すように、完成した本体ユニット１を２個が背中合わせになるようにしてタップＡを形成し、載置台Ｂの脚部６に挿入する。この脚部６は本体ユニット１と同一の絶縁材料から形成されており、２つ合わさると略アーチの門形になるような形状となっている。この脚部６は、挿入された２個の本体ユニット１をガイドする箱形の基部６ａと、自立する場合の基部６ｂとからなり、基部６ａには本体ユニット１が挿入されて位置決めができるように、突起６ｃが形成されている。
【００１８】
また、本体ユニット１側にも突起６ｃが挿入される突起孔６ａに挿入されており、突起６ｃは本体ユニット１側の突起孔１ａを貫通して、相手側の脚部６に形成された図示しない嵌合孔に挿入されて仮固定できるようになっている。さらに、図８、図１０に示すように、本体ユニット１から形成されるタップＡを脚部６に挿入した後は、脚部６同士を固着できるように、固定ネジ孔が設けられた固定フランジ６ｄが形成されている。
【００１９】
また、タップＡ（本体ユニット１）を脚部６に挿入した後は、図１０に示すように、補助脚７を下方から装着する。この脚部６、補助脚７を固定した後に取り付けられるように、スライド溝６ｄの逃げ部７ａや切り込み部７ｂが形成されている。従って、補助脚７は、下方からそのまま挿入すれば、載置台Ｂが取り付け完了となる。
このようにして、載置台Ｂが取り付けられたタワー形ＯＡタップは、最後に、図１または図２に示すように、頂部に送り配線された連結材１３の保護と安全性、見栄えの上から、キャップＣが被着され、固定ネジなどで固定される。また、このキャップＣは、図示しないキャップＣを兼ねたキャラクター像などを使用することも可能となる。
【００２０】
このように組み立てられたタワー形ＯＡタップは、図１または図２に示すように、四方向から載置台Ｂにより支えられているので、安定して自立することが可能となる。そのため、狭い場所でもスペースを取らずに多くの差込プラグを接続することが可能となるものである。そして、例えば、コンセントの数を増やす場合も本体ユニット１（タップ）のみを差込口が多い長いものを使用すればよく、上方に延びるだけなので、占有面積を増やすことがなくスペース上非常に有効となる。
【００２１】
このタワー形ＯＡタップは、縦形とすることにより、横形のＯＡタップに比較して、その構造上、コンセントの接点である刃受けバネにゴミなどの異物が入りにくいので、接触不良などの不具合が起こりにくくなる。
また、標準部品を使用した組み立て式のため、誰でも簡単に組み立てることができ、組み立ての手間がかからない。
さらに、このタワー形ＯＡタップは、デザイン上も優れているので、使う人の好みのカラーやキャラクターなどを施すことができる。これらはキャップを兼ねたキャラクターを使用すれば、机の上にマスコット代わりに置くことができ、実用性と趣味性を同時に満足することができる。
【００２２】
図１２は、本発明タワー形ＯＡタップの平刃栓刃を有するプラグを差し込む抜止形コンセントの実施形態の説明図である。
図３〜図５に示される本発明タワー形ＯＡタップの実施の形態に基づいて説明する。
また、本体ユニット１は、図３、図５に示すように、プラカバー２とプラカバー底板３とから構成されている。コンセントユニット１０のプラカバー２への装着は、プラカバー２の内側よりカバー表面１０ａの差込口面が露出するためにあるプラカバー２の角形穴に嵌めて設置する。
【００２３】
また、このプラカバー２にコンセントユニット１０を取り付けた後は、図２に示すように、コンセントユニット１０の固着部１４（後述するコンセントユニット１０の電極ターミナル１０ｃ）の接続が行われる。この固着部の位置がコンセントユニットの縦長手方向の中央に位置しているから連結板１１の長さが均一である。従って、各固着部間の距離は均等であるから規格化された専用の連結板１１によって接続が行われる。この連結板１１は同一形状、同一寸法に導電性に優れた銅板などから板状に打ち抜かれたもので、両端部には固着部１４、１５（電極ターミナル１０ｃ、アース固着部１７、電源入力電線１２の固着部１６など）に固定し易いようにＵ字状に取付部１１ａが形成されている。
【００２４】
電源入力電線１２を固着する正負及びアース線の各固着部１４、アース固着部１７がコンセントユニットの裏面に立設した立壁１０ｂ、１０ｂよってそれぞれ隔離配置され、正の刃受バネ、負の刃受バネがそれぞれリベット止めされている絶縁性のコンセントユニット１０とプラグ（図示せず）の栓刃を差し込む差込口１０ｆを有する絶縁性のカバー表面１０ａとからなり、これを２組有するコンセントユニット１０はプラカバー２内に収納される（図４，図５）。個々のユニットの差込口１０ｆ，１０ｇ・・はカバー表面１０ａら露呈している。このプラカバー２の外端にはリベット、ボルトなどで取り付けることができる取付部１８が配置してある。このプラカバー２のプラカバー底板３にはマグネットが埋設できるように凹部２０が形成してある。このプラカバー２の電源入力電線（図示せず）を挿入するための開口部１９は両端に穿設してあるが、電源入力電線及び送り配線の電源出力電線が挿入されない開口部１９は虫や塵埃などの侵入を防止するために遮蔽板を嵌合して閉塞してある。
【００２５】
このプラカバー２内には２個のユニットを備える前記コンセントユニット１０を２組を縦長に連接し、これら各ユニットの差込口１０ａ，１０ａ・・に内蔵する刃受バネを備えたボディの他に、電波妨害阻止回路を内蔵するＩＣ回路４や電源入力電線１２からの入力を制御する通電表示部５を内蔵するものである。電源入力電線１２の先端を固着する入力固着部１６、前記回路のＩＣ回路４，通電表示部５（パイロットランプの点灯）からの固着部１４が配設してある。これら固着部１４，入力固着部１６は前記各ユニットの固着部１４，１４と同様に立壁１０ｂ，１０ｂによって隔離配置してある。
【００２６】
このように一本の連結板１１の先端がネジ止め等によって各固着部が連結されるので，面倒な配線作業が不要である。しかもコンセントユニット１０の立壁１０ｂに沿って連結板１１を配置することになるから異極の連結板１１の短絡が完全に防止できる。
また、アース刃受バネの導電部材と一体であるアース固着部１７もカバーの裏面に配置してあるから一連の連結板１１の取り付けで簡易にできる。各ユニットの固着部の間の距離は一定であるから３種類の連結板１１、連結材１３のみによってタワー形ＯＡタップを組み立てることができる。
【００２７】
このように組み立てられたタワー形ＯＡタップは、図１または図２に示すように、四方向から脚部Ｂにより支えられているので、安定して自立することが可能となる。そのため、狭い場所でもスペースを取らずに多くの差込プラグを接続することが可能となるものである。そして、例えば、コンセントの数を増やす場合も本体ユニット１（タップ）のみを差込口が多く長いものを使用すればよく、上方に延びるだけなので、占有面積を増やすことがなくスペース上非常に有効となる。
【００２８】
このタワー形ＯＡタップは、縦形とすることにより、横形のＯＡタップに比較して、その構造上、コンセントの接点である刃受けバネにゴミなどの異物が入りにくいので、接触不良などの不具合が起こりにくくなる。
また、標準部品を使用した組み立て式のため、誰でも簡単に組み立てることができ、組み立ての手間がかからない。
さらに、このタワー形ＯＡタップは、デザイン上も優れているので、使う人の好みのカラーやキャラクターなどを施すことができる。これらはキャップを兼ねたキャラクターを使用すれば、机の上にマスコット代わりに置くことができ、実用性と趣味性を同時に満足することができる。
【００２９】
なお、本発明のタワー形ＯＡタップは、上述した実施の形態に限定されるものではなく、特許請求の範囲内で様々な態様が可能なことは勿論である。
例えば、本体ユニット１を連結したタップの長さ寸法は限定されるものではないので、装着されるコンセントユニット１０の数は２個のみならず、３個、４個・・とすることも可能である。また、コンセントユニット１０においても２個に限定されず、１個、３個、４個と・・・とすることができることは勿論である。さらに、脚部においても、４本に限らず、３本、５本にすることができるのは勿論である。そして、この脚部を分割せず、一体形式にすることも可能である。
【００３０】
【発明の効果】
本発明のタワー形ＯＡタップは、複数のプラグを差し込み可能に差込口を配列してある細長いＯＡタップを載置台によって縦位置に配置して設置可能であるから、プラグや差込口に塵埃などが積もって侵入することを防ぐことができる。また、従来のＯＡタップを横に据え付けるものに比べて外観が相違し、タワー状にコンセントを配置できるので美観を呈する。
以上のように、本発明のタワー形ＯＡタップは、長手方向に複数の差込ユニットが装着配線されたコンセント本体部と、前記コンセント本体部を連結したタップの自立可能に支持する脚部と、から構成され、前記タップが２個背中合わせに固定され、前記脚部に挿入されることにより立設自立することが可能となり、狭い場所でもスペースを取らずに多くの差し込みプラグを接続することができるものである。そして、例えば、コンセントの数を増やす場合もタップのみを差込口が多く長いものを使用すればよく、上方に延びるだけなので、占有面積を増やすことがなくスペース上非常に有効となる。
【００３１】
また、複数個のプラグを差し込めるＯＡタップ部を縦長状態で２つ背中合わせにし、ＯＡタップ両面に差込口を配置することができるから多くのプラグを差し込み接続することができる。
更に、ＯＡタップにキャップを被着することにより、安全性とデザイン上優れた装置を提供できる。
【図面の簡単な説明】
【図１】本発明に係わるタワー形ＯＡタップの１実施形態を示す正面図である。
【図２】本発明タワー形ＯＡタップの１実施形態の内部構造を説明する側面の断面図である。
【図３】図１のタワー形ＯＡタップの本体ユニットを示す側面図である。
【図４】図３の本体ユニットの内部構造を示す断面図である。
【図５】図３の本体ユニットの内部配線を示す底面図である。
【図６】本発明に係わるタワー形ＯＡタップの載置台の１実施形態を示す側面図である。
【図７】図６の底面図である。
【図８】図６の載置台の脚部の構造を示す説明図で、
（ａ）側面図
（ｂ）縦断面図
（ｃ）底面図である。
【図９】図６の載置台の補助脚の構造を示す説明図で、
（ａ）側面図
（ｂ）平面図
（ｃ）縦断面図である。
【図１０】図６の載置台の組立説明図である。
【図１１】本発明に係わるタワー形ＯＡタップに使用するキャップの１実施形態の構造を示す説明図で、
（ａ）側面図
（ｂ）正面図
（ｃ）平面図
（ｄ）底面図である。
【図１２】本発明に係わるタワー形ＯＡタップに使用するコンセントユニットの平面図である。
【図１３】図１２の底面図である。
【符号の説明】
Ａ　　　タップＡ
Ｂ　　　載置台
Ｃ　　　キャップ
１　　　本体ユニット
２　　　プラカバー
３　　　プラカバー底板
４　　　ＩＣ回路
５　　　通電表示部
６　　　脚部
７　　　補助脚
８　　　キャップ
９　　　キャップねじ止部
１０　　コンセントユニット
１０ａ　　カバー表面
１０ｂ　　立壁
１０ｃ　　電極ターミナル
１０ｄ　　電極ターミナル
１０ｅ　　アースターミナル
１０ｆ　差込口
１０ｇ　差込口
１０ｈ　　アース差込口
１１　　連結板
１２　　電源入力電線
１３　　連結材
１４　　固着部（電極ターミナル）
１５　　固着部（電極ターミナル）
１６　　入力固着部
１７　　アース固着部（アースターミナル）
１８　　取付部
１９　　開口部
２０　　凹部
【図１】
2004119257.tif 000003
【図２】
2004119257.tif 000004
【図３】
2004119257.tif 000005
【図４】
2004119257.tif 000006
【図５】
2004119257.tif 000007
【図６】
2004119257.tif 000008
【図７】
2004119257.tif 000009
【図８】
2004119257.tif 000010
【図９】
2004119257.tif 000011
【図１０】
2004119257.tif 000012
【図１１】
2004119257.tif 000013
【図１２】
2004119257.tif 000014
【図１３】
2004119257.tif 000015